【手続補正書】
【提出日】平成18年2月9日(2006.2.9)
【手続補正１】
【補正対象書類名】明細書
【補正対象項目名】全文
【補正方法】変更
【補正の内容】
【書類名】  明細書
【発明の名称】  回転ヘッドシリンダー装置
【特許請求の範囲】
【請求項１】  固定軸が固定された下固定ドラムと、前記下固定ドラムの同軸上部に回転自在に配されヘッドを具備した回転ドラムと、前記回転ドラムの上部で前記固定軸に固定された上固定ドラムとからなる回転ヘッドシリンダ装置であって、前記上固定ドラムに設けられたロータリートランスステーターと、前記回転ドラムに固定され前記ロータリートランスステーターと対向配置されたロータリートランスローターと、前記ロータリートランスローターの下面に配されたプリント板と、前記ヘッドが固定されたヘッドプリント板と、一端が前記プリント板に接触し他端が前記ヘッドプリント板に接触するように設けられた端子とを備えたことを特徴とする回転ヘッドシリンダー装置。
【請求項２】  前記上固定ドラム及び前記回転ドラムに、前記ヘッド近傍まで達する開口部を設けたことを特徴とする請求項１記載の回転ヘッドシリンダー装置。
【請求項３】  開口部は、上固定ドラム及び回転ドラムの外周近傍に設けられ、かつロータリートランスの外周よりも外側に設けられたことを特徴とする請求項２記載の回転ヘッドシリンダー装置。
【請求項４】  開口部は、上固定ドラムに設けられた第１の開口部と、回転ドラムに設けられた第２の開口部とからなり、前記第１の開口部と前記第２の開口部とは略同一半径位置に配されたことを特徴とする請求項２記載の回転ヘッドシリンダー装置。
【請求項５】  第２の開口部は、ヘッドハウジングの上部に配されたことを特徴とする請求項４記載の回転ヘッドシリンダー装置。
【発明の詳細な説明】
【０００１】
【発明の属する技術分野】
本発明は、小型、軽量化を図った磁気記録再生装置に用いて有効な回転ヘッドシリンダー装置に関するものである。
【０００２】
【従来の技術】
近年、磁気記録再生装置は小型、軽量化が図られ、それに伴って搭載される回転ヘッドシリンダー装置も小型、軽量化が望まれている。
【０００３】
以下に従来の回転ヘッドシリンダー装置について説明する。
【０００４】
図４は従来の回転ヘッドシリンダー装置の断面図を示すものである。図４において、１０は下固定ドラムで、その中心に固定軸１２が固定されるとともに、モーター（図示せず）のステーター１８が固定されている。１４は下固定ドラム１０の同軸上部に回転自在に配された回転ドラムであり、軸受け１６ａ及び１６ｂによって固定軸１２に回転自在に軸承されている。回転ドラム１４には、下固定ドラム１０に設けられたステーター１８によって回転駆動されるモーターのローター２０と、磁気テープ（図示せず）へ信号を記録再生するための磁気ヘッド２２と、磁気ヘッド２２からの信号を伝送するためのロータリートランスローター２４とが設けられている。２６は回転ドラム１４の同軸上部に固定された上固定ドラムであり、ロータリートランスローター２４と対向して信号を非接触で伝送するためのロータリートランスステーター２８を具備し、固定軸１２に固定されている。
【０００５】
以上のように構成された従来の回転ヘッドシリンダー装置について、以下その動作について説明する。
【０００６】
磁気テープ（図示せず）は下固定ドラム１０と回転ドラム１４と上固定ドラム２６にまたがって外周に巻き付けられ、回転ドラム１４の回転とともに、その外周に配された磁気ヘッド２２によって、映像信号や音声信号の記録再生が行われる。
【０００７】
磁気ヘッド２２とロータリートランスローター２４との接続は、コネクタ３０によって行う。コネクタ３０に設けられた複数の端子３２（図面では説明を簡略するために１本のみ表示する）は、一端が接触バネ３４になっていて、組立時に磁気ヘッド２２の配線が施されたヘッドプリント板３６に弾性接触して導通を得る構造になっている。一方、端子３２の他端３８は、ロータリートランスローター２４に施された巻き線が接続されたプリント板４０に、下方向から貫通し上部において半田接続されている。これで、磁気ヘッド２２とロータリートランスローター２４との電気的な接続が行われ、映像音声信号の授受が行うことができる。
【０００８】
【発明が解決しようとする課題】
しかしながら上記の従来の構成では、回転ヘッドシリンダー装置の組立時に、端子３２の他端３８とロータリートランスローター２４のプリント板４０とを半田接続しなければならず、半田付けスペースの問題、半田フラックスが飛散してロータリートランスローター２４のロータリートランスステーター２８との対向面に付着し、回転不良を起こすといった問題、さらに半田に含まれた鉛による環境問題等の課題を有する。
【０００９】
特に昨今の環境に対する懸念から、半田フリーはこういった電子機器の取り組むべき大きな課題である。
【００１０】
本発明は上記従来の問題点を解決するもので、全く半田付けを必要としない組立構造の回転ヘッドシリンダー装置を提供することを目的とする。
【００１１】
【課題を解決するための手段】
この目的を達成するために本発明の回転ヘッドシリンダー装置は、固定軸が固定された下固定ドラムと、前記下固定ドラムの同軸上部に回転自在に配されヘッドを具備した回転ドラムと、前記回転ドラムの上部で前記固定軸に固定された上固定ドラムとからなる回転ヘッドシリンダ装置であって、前記上固定ドラムに設けられたロータリートランスステーターと、前記回転ドラムに固定され前記ロータリートランスステーターと対向配置されたロータリートランスローターと、前記ロータリートランスローターの下面に配されたプリント板と、前記ヘッドが固定されたヘッドプリント板と、一端が前記プリント板に接触し他端が前記ヘッドプリント板に接触するように設けられた端子とを備えたものである。
【００１２】
この構成によって、全く半田付けを必要としない組立構造の回転ヘッドシリンダー装置が得られる。
【００１３】
【発明の実施の形態】
本発明の請求項１に記載の発明は、固定軸が固定された下固定ドラムと、前記下固定ドラムの同軸上部に回転自在に配されヘッドを具備した回転ドラムと、前記回転ドラムの上部で前記固定軸に固定された上固定ドラムとからなる回転ヘッドシリンダ装置であって、前記上固定ドラムに設けられたロータリートランスステーターと、前記回転ドラムに固定され前記ロータリートランスステーターと対向配置されたロータリートランスローターと、前記ロータリートランスローターの下面に配されたプリント板と、前記ヘッドが固定されたヘッドプリント板と、一端が前記プリント板に接触し他端が前記ヘッドプリント板に接触するように設けられた端子とを備えたものであり、全く半田付けを必要としない組立構造が得られるばかりでなく、ロータリートランスローター及びロータリートランスステーターは対向面側にスペースが生じ、このスペースを利用して外径を拡大、換言するとロータリートランスの直径を大きくできるため、これによって回転側・固定側の対向面積を大きくとれ、伝送特性を向上させることができるという作用を有する。
【００１４】
以下、本発明の実施の形態について、図１から図３を用いて説明する。
【００１５】
（実施の形態１）
図１は本発明の実施の形態の回転ヘッドシリンダー装置の断面図であり、図１において、１０は下固定ドラムで、同軸中心に固定された固定軸１２と、モーター（図示せず）のステーター１８が固定されている。１４は下固定ドラム１０の同軸上部に回転自在に配された回転ドラムであり、軸受け１６ａ及び１６ｂによって固定軸１２に回転自在に軸承されている。回転ドラム１４には、下固定ドラム１０に設けられたステーター１８によって回転駆動されるモーターのローター２０と、磁気テープ（図示せず）へ映像音声信号を記録再生するための磁気ヘッド２２と、磁気ヘッド２２が設けられたヘッドハウジング２３と、磁気ヘッド２２からの信号を伝送するためのロータリートランスローター５０とが設けられている。２６は回転ドラム１４の同軸上部に固定された上固定ドラムであり、ロータリートランスローター５０と対向して映像音声信号を非接触で伝送するためのロータリートランスステーター５２を具備し、固定軸１２に固定されている。
【００１６】
以上のように構成された本実施の形態の回転ヘッドシリンダー装置について、以下その動作について説明する。
【００１７】
磁気テープ（図示せず）は下固定ドラム１０と回転ドラム１４と上固定ドラム２６とに跨って外周に所定角度巻き付けられ、回転ドラム１４の回転とともに磁気ヘッド２２によって、映像音声信号の記録再生が行われる。
【００１８】
磁気ヘッド２２とロータリートランスローター５０との接続は、コネクタ５４によって行う。コネクタ５４に設けられた複数の端子５６（図面では説明を明確にするために１本のみ表示した）は、その下端５８がヘッド接触バネになっていて、組立時に磁気ヘッド２２の配線が施されたヘッドプリント板３６に弾性接触して導通を得る構造になっている。
【００１９】
一方、端子５６の上端６０もバネ構造になっている。ロータリートランスローター５０の外周付近下面には、ロータリートランスローター５０に施された巻き線（図示せず）が接続され、下面に接触ランドが形成されたプリント板６２が固定されている。
【００２０】
この構造によって、下固定ドラム１０に固定された固定軸１２に、上方向から回転ドラム１４を同軸的に装着し、さらにその上部から上固定ドラム２６を同軸的に固定する時、回転ドラム１４とロータリートランスローター５０とコネクタ５４とを軸方向に組み立てられる。これにより、ロータリートランスローター５０のプリント板６２の接触ランドに端子５６の上端６０が弾性接触するので、従来技術のような半田付けを行うことなく組み立てるだけで磁気ヘッド２２の巻き線とロータリートランスローター５０の巻き線は接続される。
【００２１】
また、ロータリートランスローター５０及びロータリートランスステーター５２は、対向面側にスペースが生じるので、このスペースを利用して外径を拡大することが可能で、これによって対向面積を大きくとれるので伝送特性が向上する。
【００２２】
以上のように本実施の形態によれば、コネクタ５４の端子５６の上端６０をバネ構造とし、ロータリートランスローター５０のプリント板６２の接触ランドに弾性接触させることにより、全く半田付けを必要としない組立構造が得られるばかりでなく、ロータリートランス対向面積が増やせ、伝送特性を向上させることができる。
【００２３】
（実施の形態２）
図２、図３は本発明の回転ヘッドシリンダー装置の第２の実施の形態を示す。図２は回転ヘッドシリンダー装置の断面図、図３はロータリートランスローターの平面図を示す。本実施の形態において、基本的な構成や動作は前述の実施の形態１と同じであるので説明は省略する。実施の形態１の構成と異なる部分は、上固定ドラム７０、ロータリートランスステーター７２、回転ドラム７６、ロータリートランスローター７４、プリント板７８の形状である。
【００２４】
図２及び図３において、ロータリートランスステーター７２は、その外径が上固定ドラム７０に設けられた第１の開口部である開口部８０よりも内周側に位置するような構成を有する。ロータリートランスローター７４はロータリートランスステーター７２との対向面はロータリートランスステーター７２と同径であるが、部分的にロータリートランスローター７４の外径がロータリートランスステーター７２の外径よりも大きくなるようなフランジ部８２を有している。このフランジ部８２は、本実施の形態では約１８０度対向で２カ所に設けた。
【００２５】
回転ドラム７６には、上固定ドラム７０に設けられた開口部８０とほぼ同一半径位置で、磁気ヘッド２２の位置に第２の開口部である開口部８６が設けられ、ロータリートランスローター７４はフランジ部８２と開口部８６が重ならない位相で固定されている。また、開口部８６はヘッドハウジング２３の上部に配されている。
【００２６】
以上のように構成された本実施の形態の回転ヘッドシリンダー装置について、以下その動作を説明する。
【００２７】
磁気テープ（図示せず）は下固定ドラム１０と回転ドラム７６と上固定ドラム７０とに跨って外周に所定角度巻き付けられ、回転ドラム７６の回転とともに磁気ヘッド２２によって、映像音声信号の記録再生が行われる。
【００２８】
磁気ヘッド２２とロータリートランスローター７４との接続は、コネクタ５４によって行う。コネクタ５４に設けられた複数の端子５６（図面では説明を明確にするために１本のみ表示した）は、その下端５８がヘッド接触バネになっていて、組立時に磁気ヘッド２２の配線が施されたヘッドプリント板３６に弾性接触して導通を得る構造になっている。
【００２９】
一方、端子５６の上端６０もバネ構造になっている。ロータリートランスローター７４の外周付近下面には、ロータリートランスローター７４に施された巻き線（図示せず）が接続され、下面に接触ランドが形成されたプリント板７８が固定されている。
【００３０】
この構造によって、下固定ドラム１０に固定された固定軸１２に、上方向から回転ドラム７６を同軸的に装着し、さらにその上部から上固定ドラム７０を同軸的に固定する時、回転ドラム７６とロータリートランスローター７４とコネクタ５４とを軸方向に組み立てられる。これにより、ロータリートランスローター７４のプリント板７８の接触ランドに、端子５６の上端６０が弾性接触するので、従来技術のような半田付けを行うことなく組み立てるだけで磁気ヘッド２２の巻き線とロータリートランスローター７４の巻き線は接続される。
【００３１】
ここで、端子５６の上端６０の接触圧は図２において上方へ発生するが、背面にロータリートランスローター７４のフランジ部８２があるため、プリント板７８が変形するようなことはない。
【００３２】
さらに、上固定ドラム７０に開口部８０が設けられているため、回転ヘッドシリンダー装置の組立後に、矢印Ａ方向から開口部８０及び８６を通して磁気ヘッド２２にレーザー光を照射し、複数の磁気ヘッド２２の相対ヘッド高さを調整することも可能である。開口部８０及び８６は、ロータリートランスローター７４のフランジ部８２を避けた位置に設けられているので、前述のようにレーザー光の照射によるヘッド２２の相対ヘッド高さを調整することが可能である。
【００３３】
以上のように本実施の形態によれば、コネクタ５４の端子５６の上端６０をバネ構造とし、ロータリートランスローター７４のプリント板７８の接触ランドに弾性接触させることにより、全く半田付けを必要としない組立構造が得られる。さらに、上固定ドラム７０と回転ドラム７６に磁気ヘッド２２まで達するような開口部８０及び８６を設けたことにより、回転ヘッドシリンダー装置の組立後に、矢印Ａ方向から開口部８０及び８６を通して磁気ヘッド２２にレーザー光を照射し、複数の磁気ヘッド２２の相対ヘッド高さを調整することも可能である。
【００３４】
【発明の効果】
以上のように本発明は、全く半田付けを必要としない組立構造が得られるばかりでなく、ロータリートランスの対向面積を増やし、伝送特性を向上させることが出来るという優れた効果が得られる。
【００３５】
また、全く半田付けを必要としない組立構造が得られるばかりでなく、組立後の磁気ヘッドの高さ調整をも可能にするという優れた効果が得られる。
【図面の簡単な説明】
【図１】
本発明の実施の形態１における回転ヘッドシリンダー装置の断面図
【図２】
同実施の形態２における回転ヘッドシリンダー装置の断面図
【図３】
本発明の実施の形態２における回転ヘッドシリンダー装置の腰部平面図
【図４】
従来の回転ヘッドシリンダー装置の断面図
【符号の説明】
５０、７４  ロータリートランスローター
５６  端子
６２、７８  プリント板
８２  フランジ部